(57)【要約】【課題】デザイン上の制約を低減し、設計の自由度を高めると共に、ケーブルの断線や電気設備の故障を防止し、配線経路の簡素化及び組立性の向上を図る。【解決手段】本発明に係る電気錠システムは、扉１の壁面２に固定されるハンドル部品３と、ハンドル部品３全体を覆うように一体に形成されるカバー４０と、ハンドル部品３に対してカバー４０を着脱自在に支持する着脱機構５０と、ハンドル部品３に回転可能に支持される操作レバー２０と、操作レバー２０の回転に伴って扉１の木口に対して進退可能に駆動されるラッチボルトと、施解錠操作装置から送られた信号に基づいて電気的に駆動されるデッドボルトと、を備えていることを特徴とする。【選択図】図２
2014152524.tif 000002
【特許請求の範囲】
【請求項１】
扉の壁面に固定されるハンドル部品と、
該ハンドル部品全体を覆うように一体に形成されるカバーと、
前記ハンドル部品に対して前記カバーを着脱自在に支持する着脱機構と、
前記ハンドル部品に回転可能に支持される操作レバーと、
該操作レバーの回転に伴って前記扉の木口に対して進退可能に駆動されるラッチボルトと、
施解錠操作装置から送られた信号に基づいて電気的に駆動されるデッドボルトと、
を備えていることを特徴とする電気錠システム。
【請求項２】
前記ハンドル部品は、前記扉との間に所定の空間を形成するように上下両端部が前記扉に固定されるグリップと、上端部又は下端部の少なくともいずれかに設けられるシリンダ錠と、を備え、前記カバーは前記グリップと前記シリンダ錠とを覆うように一体に形成されていることを特徴とする請求項１に記載の電気錠システム。
【請求項３】
前記施解錠操作装置は、前記グリップに設けられ、リーダと操作ボタンの少なくともいずれかを備えていることを特徴とする請求項２に記載の電気錠システム。
【請求項４】
前記カバーは樹脂製であることを特徴とする請求項３に記載の電気錠システム。
【請求項５】
前記着脱機構は、前記ハンドル部品の上下端部に設けられ、前記カバーから外部に露出するように設けられる操作部材と、該操作部材に作用される外力により前記カバーの上下端部に係止するロック位置と該カバーの上下端部から離間するロック解除位置との間で移動するように設けられるロック部材と、を備えていることを特徴とする請求項１〜４のいずれか１の請求項に記載の電気錠システム。
【請求項６】
前記着脱機構は、前記カバーの略中央部に係止可能な中央係止部をさらに備えていることを特徴とする請求項５に記載の電気錠システム。
【請求項７】
前記操作部材は、前記カバーの側部から外部に露出し、外部からの押圧により側方にスライド可能に設けられ、
前記ロック部材は、一端部が前記カバーの上下端部に係止可能且つ他端部が前記操作部材に係合可能なように前後方向に回転可能に設けられ、
前記一端部が前記カバーの上下端部に係止する回転方向に付勢されることにより前記ロック部材の前記ロック位置が保持され、前記操作部材が側方にスライドして前記他端部に係合することにより、前記ロック部材が付勢力に抗して前記ロック位置から前記ロック解除位置に回転することを特徴とする請求項５又は６に記載の電気錠システム。
【発明の詳細な説明】
【技術分野】
【０００１】
本発明は、扉の木口に対して進退可能なデッドボルトを電気的に駆動させて施解錠制御する電気錠システムに関するものである。
【背景技術】
【０００２】
オフィスビル等の商業施設や公共施設の出入口、集合住宅や一般住宅のエントランスや玄関等の扉において、デッドボルトを解錠させた状態で扉の閉止状態（仮締まり状態）を保持するための錠構造としてラッチ錠が公知であり、このラッチ錠の操作性の向上を目的として、所謂プッシュプル錠が使用されている。このプッシュプル錠は、縦長のグリップの上下端部を、台座を介して扉の壁面に可動自在に取り付け、例えば、外開き扉の場合、室内側のグリップを押す方向に移動させ、或いは、室外側のグリップを引く方向に移動させることで、扉を開放させるものである（例えば、特許文献１参照）。
【０００３】
近年、この種のプッシュプル錠において、セキュリティの向上や操作性の向上を目的として、ＩＣカードやタグ、キー等をリーダにかざすことにより、デッドボルトを電気的に駆動させて施解錠制御する電気錠システムの設置の要求が増加している（例えば、特許文献２参照）。
【先行技術文献】
【特許文献】
【０００４】
【特許文献１】特開２０１２−１９７５８５号公報の図１
【特許文献２】特開２００９−２７０３０７号公報
【発明の概要】
【発明が解決しようとする課題】
【０００５】
しかしながら、上記した従来のプッシュプルタイプの電気錠システムでは、可動部であるグリップが台座を介して扉の壁面に固定されているため、グリップと台座との間に切れ目を設ける必要がある。そのため、グリップの周辺部分のデザインが制約されてしまい、設計の自由度を高めることが難しいといった問題がある。
【０００６】
また、リーダや制御ボタン等の施解錠操作装置をグリップに設置した場合には、施解錠操作装置に接続される電源ケーブルや通信ケーブルが必ず可動部分を通過するため、ケーブルが断線し難いように十分に配慮して配線経路を決定する必要があり、配線経路の簡素化や組立性の向上を図り難いという問題がある。
【０００７】
また、例え電源ケーブルや通信ケーブルが断線し難いように配線経路を決定したとしても、施解錠操作装置を設置するグリップが移動する限り、依然として断線リスクが高いことに変わりはない。さらに、グリップの振動が施解錠操作装置に接続される電源ケーブルや通信ケーブル等を介して電源回路や制御回路等の電気設備に伝わり易くなるため、該電気設備が故障するリスクが高くなるという問題がある。
【０００８】
本発明は、上記した課題を解決すべくなされたものであり、デザイン上の制約を低減し、設計の自由度を高めると共に、ケーブルの断線や電気設備の故障を防止し、配線経路の簡素化及び組立性の向上を図ることのできる電気錠システムを提供することを目的とするものである。
【課題を解決するための手段】
【０００９】
上記した目的を達成するため、本発明に係る電気錠システムは、扉の壁面に固定されるハンドル部品と、該ハンドル部品全体を覆うように一体に形成されるカバーと、前記ハンドル部品に対して前記カバーを着脱自在に支持する着脱機構と、前記ハンドル部品に回転可能に支持される操作レバーと、該操作レバーの回転に伴って前記扉の木口に対して進退可能に駆動されるラッチボルトと、施解錠操作装置から送られた信号に基づいて電気的に駆動されるデッドボルトと、を備えていることを特徴とする。
【００１０】
この特徴によれば、扉の壁面に固定されたハンドル部品全体を覆うように前記カバーが一体に形成されており、ハンドル部品の表面側に部品間の切れ目等が現れることがないため、ハンドル部品の周辺部分のデザインが制約されることがなく、設計の自由度を高めることができる。
【００１１】
また、本発明に係る電気錠システムにおいて、前記ハンドル部品は、前記扉との間に所定の空間を形成するように上下両端部が前記扉に固定されるグリップと、上端部又は下端部の少なくともいずれかに設けられるシリンダ錠と、を備え、前記カバーは前記グリップと前記シリンダ錠とを覆うように一体に形成されていることを特徴とする。
【００１２】
この特徴によれば、前記グリップとシリンダ錠とを覆うように前記カバーが一体に形成されているため、ハンドル部品の周辺部分のデザインが制約されることがなく、設計の自由度を高めることができる。
【００１３】
また、本発明に係る電気錠システムにおいて、前記施解錠操作装置は、前記グリップに設けられ、リーダと操作ボタンの少なくともいずれかを備えていることを特徴とする。
【００１４】
この特徴によれば、前記施解錠操作装置が扉に固定されるハンドル部品のグリップに設置されているため、施解錠操作装置に接続される電源ケーブルや通信ケーブルが断線し難い。そのため、断線リスクを配慮することなく配線経路を決定することができ、配線経路の簡素化や組立性の向上を図ることが可能となる。また、ハンドル部品の任意の場所に前記施解錠操作装置を配置することができ、配置の自由度を高めることができると共に、施解錠操作装置の操作性の向上を図ることができる。
【００１５】
また、本発明に係る電気錠システムにおいて、前記カバーは樹脂製であることを特徴とする。
【００１６】
この特徴によれば、前記グリップに設けられた施解錠操作装置のアンテナ性能を高めることができる。
【００１７】
また、本発明に係る電気錠システムにおいて、前記着脱機構は、前記ハンドル部品の上下端部に設けられ、前記カバーから外部に露出するように設けられる操作部材と、該操作部材に作用される外力により前記カバーの上下端部に係止するロック位置と該カバーの上下端部から離間するロック解除位置との間で移動するように設けられるロック部材と、を備えていることを特徴とする。
【００１８】
この特徴によれば、外部から前記操作部材を操作することにより前記ロック部材のロックを簡単に解除させることができるため、ハンドル部品に対するカバーの着脱作業の簡略化を図ることができる。
【００１９】
また、本発明に係る電気錠システムにおいて、前記着脱機構は、前記カバーの略中央部に係止可能な中央係止部をさらに備えていることを特徴とする。
【００２０】
この特徴によれば、前記カバーの上下端部だけでなく、カバーの略中央部においても、ハンドル部材にカバーを係止することができるため、カバーをハンドル部材によりしっかりと固定することができる。
【００２１】
また、本発明に係る電気錠システムにおいて、前記操作部材は、前記カバーの側部から外部に露出し、外部からの押圧により側方にスライド可能に設けられ、前記ロック部材は、一端部が前記カバーの上下端部に係止可能且つ他端部が前記操作部材に係合可能なように前後方向に回転可能に設けられ、前記一端部が前記カバーの上下端部に係止する回転方向に付勢されることにより前記ロック部材の前記ロック位置が保持され、前記操作部材が側方にスライドして前記他端部に係合することにより、前記ロック部材が付勢力に抗して前記ロック位置から前記ロック解除位置に回転することを特徴とする。
【００２２】
この特徴によれば、外部から前記操作部材を押圧操作して側方にスライドさせることにより前記ロック部材のロックを簡単に解除させることができるため、ハンドル部品に対するカバーの着脱作業の簡略化を一段と図ることができる。また、前記操作部材のカバーからの露出箇所が側部に配置されているため、操作性の向上を図ることができると共に、人目に付き難くデザイン性の向上を図ることができる。
【発明の効果】
【００２３】
本発明によれば、デザイン上の制約を低減し、設計の自由度を高めると共に、ケーブルの断線や電気設備の故障を防止し、配線経路の簡素化及び組立性の向上を図ることができる等、種々の優れた効果を得ることができる。
【図面の簡単な説明】
【００２４】
【図１】本発明の実施形態に係る電気錠システムを示す概略図である。
【図２】本発明の実施形態に係る電気錠システムのハンドル部品にカバーを取り付けた状態を示す側断面図である。
【図３】本発明の実施形態に係る電気錠システムのハンドル部品からカバーを取り外した状態を示す正面図である。
【図４】本発明の実施形態に係る電気錠システムの着脱機構のブラケットを示す斜視図である。
【図５】本発明の実施形態に係る電気錠システムの着脱機構の操作部材を示す斜視図である。
【図６】本発明の実施形態に係る電気錠システムの着脱機構のロック部材を示す側面図である。
【図７】図２のＡ−Ａ断面図である。
【発明を実施するための形態】
【００２５】
以下、図面を参照しつつ、本発明の実施形態に係る電気錠システムについて説明する。ここで、図１は本発明の実施形態に係る電気錠システムを示す概略図、図２は本発明の実施形態に係る電気錠システムのハンドル部品にカバーを取り付けた状態を示す側断面図、図３は本発明の実施形態に係る電気錠システムのハンドル部品からカバーを取り外した状態を示す正面図、図４は本発明の実施形態に係る電気錠システムの着脱機構のブラケットを示す斜視図、図５は本発明の実施形態に係る電気錠システムの着脱機構の操作部材を示す斜視図、図６は本発明の実施形態に係る電気錠システムの着脱機構のロック部材を示す側面図、図７は図２のＡ−Ａ断面図である。なお、以下の説明では、本発明を外開きの室外側の扉に適用した場合について例示して説明し、便宜上、扉の開き方向を前方とし、左右の向きは室外側の扉に対して正面から見た向きを基準とする。
【００２６】
図１に示されているように、本発明の実施形態に係る電気錠システムは、扉１の室外側壁面２に固定されるハンドル部品３と、ハンドル部品３に設置される施解錠操作装置４と、扉１の木口に対してラッチボルト５が進退可能に設けられるラッチ錠６と、施解錠操作装置４から送られる信号に基づいてデッドボルト７，８をそれぞれ駆動させる主電気錠９及び副電気錠１０と、扉１の内部に設けられる制御装置１１と、施解錠操作装置４と主電気錠９及び副電気錠１０と制御装置１１に電源を供給する電源供給装置１２と、を備えて概略構成されている。
【００２７】
以下、各構成部材について順番に説明する。
【００２８】
図２及び図３に良く示されているように、ハンドル部品３は、扉１との間に所定の空間１３を形成するように扉１に固定されるグリップ１４と、ハンドル部品３の上端部及び下端部にそれぞれ取り付けられる非常用のシリンダ錠１５と、を備えて構成されている。
【００２９】
グリップ１４は、上下両端部に形成される固定部１６と、各固定部１６を連結するように上下方向に延びる連結部１７と、を備えている。上下の固定部１６はそれぞれネジ１８を介して扉１に固定されており、連結部１７は室外側に僅かに湾曲するように形成されている。
【００３０】
グリップ１４の背面側（後面側）には、上側の固定部１６からグリップ１４の上下方向中央よりやや下方に掛けて、操作レバー収容凹部１９が形成されており、操作レバー収容凹部１９に操作レバー２０が配設されている。
【００３１】
操作レバー２０は、上側の固定部１６に設けられた回転軸２１を中心として前後方向に回転可能に設けられ、回転軸２１の外周に巻回された捩りコイルバネ２２によって後方に付勢されている。操作レバー２０の上部にはラッチバー２３が固定されており、ラッチバー２３は、縦長形状のラッチバー側取付部２４と、このラッチバー側取付部２４の中央部から扉１内に挿入するように延設される横長形状の突起部２５と、により構成されている。
【００３２】
グリップ１４の正面側（前面側）には、前記上下方向中央より上方に第１の基板収容部２６が形成され、前記上下方向中央より下方に第２の基板収容部２７が形成されている。
【００３３】
第１の基板収容部２６には、リーダ基板２８が連結部１７の前面形状にほぼ沿うように傾斜姿勢で支持されており、リーダ基板２８のさらに前方にはスイッチ基板２９がリーダ基板２８と平行をなすように傾斜姿勢で支持されている。スイッチ基板２９の前面はインナーカバー３０により覆われており、スイッチ基板２９の前面上部に取り付けられた操作ボタン３１は、インナーカバー３０を貫通している。リーダ基板２８の後方及びリーダ基板２８とスイッチ基板２９との間には空隙３４が形成されている。
【００３４】
第２の基板収容部２７には、アンテナ基板３２が連結部１７の前面形状にほぼ沿うように傾斜姿勢で支持されている。アンテナ基板３２の前面はインナーカバー３３により覆われており、アンテナ基板３２の後面側には空隙３５が形成されている。
【００３５】
施解錠操作装置４は、上記したリーダ基板２８、スイッチ基板２９、操作ボタン３１、及びアンテナ基板３２により構成されている。施解錠操作装置４に対する電源ケーブル３７や通信ケーブルは、空隙３４，３５等を利用して配設される。施解錠操作装置４としては、例えば、FeliCa（登録商標）等の非接触型ＩＣカード、キーヘッド、タグや、指で接触するタッチキー、テンキー、指紋等の生体認証式等、各種タイプのリーダや、押しボタン式、静電容量式等、各種タイプのスイッチ等を使用することができる。
【００３６】
ハンドル部品３には、その全体を覆うようにカバー４０が着脱機構５０を介して着脱自在に取り付けられている。カバー４０は、樹脂製であり、グリップ１４の連結部１７の湾曲形状に沿って湾曲する前面部分４１と、グリップ１４の左右側面に沿ってそれぞれ形成される左右側面部分４２と、により形成され、グリップ１４と上下のシリンダ錠１５とを覆うように一体に形成されている。
【００３７】
カバー４０の上下端部には、それぞれ、室内側壁面２に沿って背面側に屈曲する爪部４３が形成されている。また、カバー４０の背面側の略中央部には、フック部４４，４５が上下２箇所に形成されている。上側のフック部４４は、第１の基板収容部２６の下方近接位置且つ操作レバー収容凹部１９の下端部の前方に配置され、下側のフック部４５は、操作レバー収容凹部１９と第２の基板収容部２７との間に配置されている。
【００３８】
着脱機構５０は、ハンドル部品３の上下端部であってシリンダ錠１５の上方及び下方の室外側壁面２にそれぞれ設けられる上下の着脱機構５１，５２と、ハンドル部品３の上下方向略中央に設けられる中央の着脱機構５３と、により構成されている。
【００３９】
上側の着脱機構５１は、グリップ１４の上下端部に固定されるブラケット５４と、カバー４０の側部から外部に露出して外部からの押圧により側方にスライド可能に設けられる操作部材５５と、操作部材５５に作用される外力により前後方向に回転可能に設けられる左右一対のロック部材５６，５６と、を備えている。
【００４０】
図４に良く示されているように、ブラケット５４は、鉛直板状の後面５８と、後面５８の外縁部から前方に直角に屈曲して形成される前方延出片５９と、により構成されており、左右対称形状を有している。
【００４１】
後面５８は、アーチ状部分６０を介して右側部分６１と左側部分６２とが連結されて一体化された形状を有しており、アーチ状部分６０の上下はそれぞれ凹状に湾曲して形成されている。右側部分６１は、略中央に穿設された円形孔６３と、円形孔６３の左側に穿設された円形孔６３より小径の円形ザグリ孔６４と、円形孔６３の上方に形成された矩形状の挿通孔６５と、を備えている。そして、円形ザグリ孔６４に後方からネジ３９（図２及び図３参照）を挿通してグリップ１４の固定部１６に螺入することにより、ブラケット５４はグリップ１４に固定される。また、右側部分６１と同様に、左側部分６２は、円形孔６６、円形ザグリ孔６７、及び挿通孔６８を備えている。
【００４２】
前方延出片５９は、後面５９の右側部分６１及び左側部分６２に対応するように、右側前方延出部分６９と左側前方延出部分７０とを備えている。右側前方延出部分６９は、後面５９の右側部分６１の上下縁部から前方に直角に屈曲して形成される上部７１及び下部７２と、右側部分６１の左右縁部から前方に直角に屈曲して形成される左部７３及び右部７４と、を備えており、左部７３及び右部７４には、互いに対向する位置に円形の軸孔７５，７６がそれぞれ穿設されている。また、右側前方延出部分６９と同様に、左側前方延出部分７０は、上部７７、下部７８、左部７９、及び右部８０を備えており、左部７９及び右部８０にはそれぞれ軸孔８１，８２が穿設されている。
【００４３】
図５に良く示されているように、操作部材５５は、左右側方に延出した横木形状を成し、アーム部分８３を介して左側係合部分８４と右側係合部分８５とが連結されて一体化された形状を有している。左側係合部分８４と右側係合部分８５の各下面はブラケット５４の下部７２，７８に沿って左右にスライド可能なように形成されている。アーム部分８３は、シリンダ錠１５及びブラケット５４のアーチ状部分６０の形状に対応するように、下部が台形状に切欠されると共に上部が僅かに隆起した形状を有している。
【００４４】
左側係合部分８４の上部には左側切欠溝８６が形成されている。左側切欠溝８６は、前方が開放された左側のロック部８７と、前方が閉塞された右側のロック解除部８８と、を備えており、ロック部８７とロック解除部８８とは、後方右側に向かって傾斜する傾斜部８９を介して連通している。また、左側係合部分８４の左端にはストッパ部９０が前方に突出するように形成されており、ストッパ部９０は操作部材５５が必要以上に右方に移動するのを規制している。
【００４５】
右側係合部分８５の上部には右側切欠溝９１が形成されている。右側切欠溝９１は、前方が開放された左側のロック部９２と、前方が閉塞された右側のロック解除部９３と、を備えており、ロック部９２とロック解除部９３とは、後方右側に向かって傾斜する傾斜部９４を介して連通している。また、右側係合部分８５の右端には押圧部９５が前方に突出するように形成されている。
【００４６】
図６に良く示されているように、左右一対のロック部材５６は、同一の鳩形状を有しており、その胴部９６には左右方向に貫通する通孔９７が穿設されている。この通孔９７には軸部材９８（図２及び図３参照）が貫通し、軸部材９８の両端部はブラケット５４の軸孔７５，７６及び８１，８２を介してブラケット５４に支持されている（図４参照）。これにより、左右一対のロック部材５６は、ブラケット５４の左右部分において胴部９６の後端部９６ａをブラケット５４の円形孔６３，６６にそれぞれ遊嵌させた状態で、軸部材９８を中心として前後方向に回転可能に設けられている。
【００４７】
各ロック部材５６の一端部には、係止突部９９がそれぞれ形成されており、各係止突部９９はブラケット５４の挿通孔６５，６８（図４参照）を挿通してカバー４０の爪部４３（図２参照）に係止可能となっている。各ロック部材５６の他端部には、係合部１００がそれぞれ山型に形成されており、各係合部１００は操作部材５５の左右の各係合部分８４，８５（図５参照）に係合可能となっている。また、各ロック部材５６には、通孔９７と係合部１００の間に略円柱形状の溝部１０１が形成されており、この溝部１０１にロックバネ（図示省略）が収容されている。左右一対のロック部材５６は、このロックバネにより、係止突部９９が爪部４３に係止する方向に付勢されている。
【００４８】
下側の着脱機構５２は、上記した上側の着脱機構５１と同様の構成を有しているため、これらの構成の詳細な説明は省略するが、下側の着脱機構５２のブラケット５４、操作部材５５、及び左右一対のロック部材５６，５６は、上側の着脱機構５１の場合とは上下反対向きに取り付けられている。
【００４９】
中央の着脱機構５３は、グリップ１４の正面側略中央部の上下２箇所に形成された係止凹部１０３，１０４を備えており、各係止凹部１０３，１０４は、カバー４０側のフック部４４，４５にそれぞれ係止可能となっている。
【００５０】
図７に示されているように、ラッチ錠６は、扉１の木口１１４に沿って扉１の内部に設置される錠ケース１１５と、錠ケース１１５の前端に配置されるラッチボルト５と、ラッチボルト５の後上方と後下方に配置される上下一対の係止片１１７、１１８と、各係止片１１７、１１８の後方に配置される一対の作動片１２０、１２１と、が設けられている。
【００５１】
錠ケース１１５の前端は錠ケース取付板１２２に固定され、錠ケース取付板１１２は固定ネジ１１９を介して扉１の木口１１４に固定されている。錠ケース１１５の前部には、ラッチボルト装着部１２３が形成され、ラッチボルト５は、このラッチボルト装着部１２３に水平方向回転可能に装着されており、この水平方向の回転に伴って扉１の木口１１４に対して進退するようになっている。ラッチボルト５の前側部分は、扉１の木口１１４の前方に突出しており、扉枠１２６に設けられたストライク１２７に進入している。これにより、扉枠１２６に対する扉１の閉止状態（仮締まり状態）が保持される。
【００５２】
ラッチボルト５は、コイルバネ１３０によって、突出方向に付勢されており、ラッチボルト５の外周には鍔部１３１が設けられている。
【００５３】
各係止片１１７、１１８は、錠ケース１１５内に収容されている。上側の係止片１１７は、その前後方向中央に設けられた第１支点１３２を中心に回転可能となっている。上側の係止片１１７の前端部には、下方に向かって係止突起１３３が設けられ、この係止突起１３３がラッチボルト５の鍔部１３１に係止している。上側の係止片１１７の後端部には、上方に向かって被押圧部１３４が突設されている。上側の係止片１１７には、連結腕部１３５が下方に向かって突設され、連結腕部１３５の下端には係合突起１３６が設けられている。
【００５４】
下側の係止片１１８は、その前後方向中央に設けられた第２支点１３７を中心に回転可能となっている。下側の係止片１１８の前端部には、上方に向かって係止突起１３８が設けられ、この係止突起１３８によってラッチボルト５の鍔部１３１が係止されている。下側の係止片１１８の後端部には、下方に向かって被押圧部１４０が突設されている。下側の係止片１１８には、連結腕部１４１が上方に向かって突設され、連結腕部１４１の上端には係合穴１４２が設けられている。この係合穴１４２が上側の係止片１１７の係合突起１３６と係合することで、リンク１４３が形成されている。第２支点１３７の周りには付勢バネ１３９が巻回され、この付勢バネ１３９によって、各係止片１１７、１１８がラッチボルト５を係止する姿勢（図７の実線参照）に付勢されている。
【００５５】
各作動片１２０、１２１は、上下動可能な状態で錠ケース１１５内に収容されている。一方の作動片１２０の上端には、上側の係止片１１７の被押圧部１３４と当接する押圧部１４４が設けられている。一方の作動片１２０の下端には、各ラッチバー２３と当接する当接部１４５が設けられている。他方の作動片１２１の下端には、下側の係止片１１８の被押圧部１４０と当接する押圧部１４６が設けられている。他方の作動片１２１の上端には、当接部１４７が設けられている。
【００５６】
再び、図１に戻ると、主電気錠９は、ラッチ錠６の上方において扉１の内部に設けられており、扉１の木口１１４（図７参照）に対して進退するようにデッドボルト７を駆動制御するモーターやソレノイド等の駆動機構を備えて構成されている。また、主電気錠９は、デッドボルト７を手動で操作可能なように、扉１の室内側にサムターン（図示省略）を備えていると共に扉１の室外側にシリンダ錠１５を備えている。
【００５７】
副電気錠１０は、ラッチ錠６の下方において扉１の内部に設けられており、扉１の木口１１４（図７参照）に対して進退するようにデッドボルト８を駆動制御するモーターやソレノイド等の駆動手段（図示省略）を備えて構成されている。また、主電気錠９と同様に、副電気錠１０は、デッドボルト８を手動で操作可能なように、扉１の室内側にサムターン（図示省略）を備えていると共に扉１の室外側にシリンダ錠１５を備えている。
【００５８】
制御装置１１は、主電気錠１９の上方において扉１の内部に設けられており、ＣＰＵやＲＯＭ、ＲＡＭ等を有するマイクロコンピュータにより構成され、施解錠操作装置４からの認証情報が正しい認証情報であるか否かを判別する機能等を有している。
【００５９】
電源供給装置１２は、扉１の外部に配置されており、扉１の吊元に設置される通電金具３６や扉１の内部に配線される電源ケーブル３７を介して、施解錠操作装置４、主電気錠９、副電気錠１０、制御装置１１等、扉１に設置される電気錠システムを構成する各構成機器に電源を供給するようになっている。
【００６０】
次に、図１〜図７を参照しつつ、上記した構成を備えた本発明の実施形態に係る電気錠システムの動作について説明する。
【００６１】
室外側から入室しようとする者がグリップ１４を把持して指で操作ボタン３１を押圧操作すると、スイッチ基板２９から制御装置１１に送られた信号に基づいて電源装置１２から通電金具３６及び電源ケーブル３７を介してリーダ基板２８に電源が供給される。
【００６２】
次いで、例えばFeliCa（登録商標）等の非接触型ＩＣカードがリーダ基板２８にかざされると、リーダ基板２８から認証情報が制御装置１１に送信され、制御装置１１では、受信した該認証情報が予め記憶されている特定の認証情報と合致するか否かが判別される。
【００６３】
この結果、前記受信した認証情報が前記特定の認証情報と合致していると制御装置１１によって判別されると、制御装置１１から主電気錠９に対して解錠信号が出力され、主電気錠９では、該解錠信号に基づき、前記駆動手段に対して駆動信号が出力されて解錠される。そして主電気錠９が解錠されると、制御装置１１から副電気錠１０に対して解錠信号が出力され、副電気錠１０では、該解錠信号に基づき、前記駆動手段に対して駆動信号が出力され、副電気錠１０は主電気錠９と連動して解錠され、扉１は仮締まり状態となる。
【００６４】
これに対して、電気錠システムが上記したように正常に解錠動作しない等の非常時には、上下の着脱部材５１，５２において、各操作部材５５の押圧部９５を左方に押し込み、ハンドル部品３からカバー４０を取り外してシリンダ錠１５により解錠する。
【００６５】
以下、ハンドル部品３からカバー４０を取り外す時の各部品の動作について詳細に説明する。なお、下側の着脱部材５２の各部品は上側の着脱部材５１と上下反対向きに取り付けられているが、基本的な動作は同じであるため、以下の説明において、下側の着脱部材５２の詳細な説明は省略する。
【００６６】
上側の着脱部材５１の押圧部９５を左方に押し込むと、操作部材５５はブラケット５４の下部７２，７８に沿って左方にスライドし、左右のロック部材５６の各係合部１００は、それぞれ、切欠溝８６，９１内においてロック部８７，９２から傾斜部８９，９４を介してロック解除部８８，９３に移動する。
【００６７】
この移動の間、切欠溝８６，９１の傾斜部８９，９４及びロック解除部８８，９３によって各ロック部材５６の係合部１００に対して後方への力が作用するため、各ロック部材５６の係止突部９９は軸部材９８を中心に下方に回転し、爪部４３から離間し、爪部４３と係止突部９９との間の係止状態は解除される。
【００６８】
また、下側の着脱部材５２においても、押圧部９５を作用に押し込むことにより、上側の着脱部材５１の場合と同様に、爪部４３と係止突部９９との間の係止状態が解除される。
【００６９】
次いで、このように上下の着脱部材５１，５２の爪部４３と係止突部９９との係止が解除された状態において、ハンドル部品３に対してカバー４０を僅かに下方に移動させると、中央の着脱機構５３において、各フック部４４，４５がそれぞれ係止凹部１０３，１０４から離間し、フック部４４，４５と係止凹部１０３，１０４との間の係止状態が解除される。これにより、カバー４０をハンドル部材３から取り外すことが可能となる。その後、上下のシリンダ錠１５に所定のキーを差し込んで回転させると、デッドボルト７，８は解錠され、扉１は仮締まり状態となる。
【００７０】
上記したように電気錠システムの正常な解錠動作によって、或いは、シリンダ錠１５によって、仮締まり状態となった扉１において、グリップ１４を把持して、操作レバー２０を前方に押圧操作すると、操作レバー２０が回転軸２１を中心に前方に回転し、操作レバー２０に固定されたラッチバー２３が回転し、ラッチバー２３の突起部２５が下方に移動する。
【００７１】
このようにラッチバー２３の突起部２５が下方に移動すると、一方の作動片１２０の当接部１４５が下方に押圧され、図７に二点鎖線で示されるように、一方の作動片１２０が下方に移動する。これに伴って、一方の作動片１２０の押圧部１４４が上側の係止片１１７の被押圧部１２４を下方に押圧し、付勢バネ１３９の付勢力に抗して上側の係止片１１７が回転する。この回転により、上側の係止片１１７の係止突起１３３によるラッチボルト５の係止が解除される。また、上側の係止片１１７の回転に伴って、上側の係止片１１７とリンク１４３を介して接続された下側の係止片１１８も、付勢バネ１３９の付勢力に抗して回転し、下側の係止片１１８の係止突起１３８によるラッチボルト５の係止が解除される。これにより、ラッチボルト５が扉１の木口１１４から退避可能となる。
【００７２】
上記したように本発明の実施形態に係る電気錠システムによれば、扉１の壁面２に固定されたグリップ１４とシリンダ錠１５の全体を覆うようにカバー４０が一体に形成されており、ハンドル部品３の表面側に部品間の切れ目等が現れることがないため、ハンドル部品３の周辺部分のデザインが制約されることがなく、設計の自由度を高めることができる。
【００７３】
また、外部から操作部材５５を押圧操作して側方にスライドさせることによりロック部材５６のロックを簡単に解除させることができるため、ハンドル部品３に対するカバー４０の着脱作業の簡略化を図ることができる。また、操作部材５５のカバー４０からの露出箇所が側部に配置されているため、操作性の向上を図ることができると共に、人目に付き難くデザイン性の向上を図ることができる。
【００７４】
また、カバー４０の上下端部だけでなく、カバー４０の略中央部においても、カバー４０をハンドル部品３に係止することができるため、カバー４０をハンドル部材にしっかりと固定することができる。
【００７５】
また、カバー４０が樹脂製であるため、グリップ１４に設けられた施解錠操作装置４のアンテナ性能を高めることができる。
【００７６】
また、施解錠操作装置４が扉１に固定されるグリップ１４に設置されているため、施解錠操作装置４に接続される電源ケーブル３７や通信ケーブルが断線し難い。そのため、断線リスクを配慮することなく配線経路を決定することができ、配線経路の簡素化や組立性の向上を図ることが可能となる。さらに、操作レバー２０を回動させた時の振動が施解錠操作装置４に接続される電源ケーブル３７や通信ケーブル等を介して制御装置１１等の電気設備に伝わることがないため、該電気設備が故障するリスクを低下させることができる。さらにまた、グリップ１４の任意の場所に施解錠操作装置４を配置することができ、配置の自由度を高めることができると共に、施解錠操作装置４の操作性の向上を図ることができる。
【００７７】
なお、上記した本発明の実施形態では、グリップ１４の背面側（後面側）に形成した操作レバー収容凹部１９に操作レバー２０を後方に付勢させた状態で設け、仮締まり状態となった扉１において、グリップ１４を把持して、操作レバー２０を前方に押圧操作すると、ラッチボルト５が扉１の木口１１４から退避するように構成しているが、本発明はこの実施形態に限定されるものではない。すなわち、例えば、特に図示しないが、グリップの正面側（前面側）に形成した操作レバー収容凹部に操作レバーを前方に付勢させた状態で設け、仮締まり状態となった扉１において、グリップを把持して、操作レバーを後方に押圧操作することによりラッチボルト５が扉１の木口１１４から退避するように構成する等、各種変形が可能である。この変形例の場合、カバー４０に操作レバーの挿通可能な開口を形成したり、施解錠操作装置８の設置位置や施解錠操作装置４に対する配線経路を操作レバーの動作範囲から外れた位置に設けたりすることは言う迄もない。
【００７８】
また、上記した本発明の実施形態では、施解錠操作装置４として、リーダ基板２８、スイッチ基板２９、操作ボタン３１、及びアンテナ基板３２を設け、操作ボタン３１を操作してからリーダ基板２８にＩＣカードをかざす場合について例示して説明したが、本発明はこの形態に限定されるものではない。すなわち、施解錠操作装置４として、ハンドル部品３にリーダのみを設置したり、或いは、リーダを扉１以外の場所に設置した上でハンドル部品３に操作ボタンのみを設置したり、或いは、リーダをどこにも設置することなくハンドル部品３に操作ボタンのみを設置したりすることもできる。また、上記した実施の形態における構成と同様に、施解錠操作装置４として、ハンドル部品３にリーダ基板２８と操作ボタン３１を設けた上で、上記した実施の形態の動作とは反対に、リーダ基板２８にＩＣカードをかざして認証がなされた後、操作ボタン３１を操作して電気錠９，１０を解錠するように構成することもできる。
【００７９】
さらに、上記した本発明の実施形態では、制御装置１１を主電気錠９及び副電気錠１０と別の位置に設置しているが、これは単なる例示に過ぎず、制御装置１１を設置する代わりに、該制御装置１１の機能を主電気錠９と副電気錠１０とにそれぞれ分散させてもたせる等、各種変更が可能である。さらにまた、電源装置１２を扉１に設置したり、又は、外部に設置した電源装置１２からの電源取り込み箇所を扉１の吊元ではなく、木口側としたりする等、各種変更が可能である。
【００８０】
なお、上記した本発明の実施形態の説明は、本発明に係る電気錠システムにおける好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００８１】
１      扉
２      壁面
３      ハンドル部品
４      施解錠操作装置
５      ラッチボルト
７，８  デッドボルト
１３    所定の空間
１４    グリップ
１５    シリンダ錠
２０    操作レバー
２８    リーダ基板
３１    操作ボタン
４０    カバー
５０    着脱機構
５５    操作部材
５６    ロック部材
１０３，１０４  係止凹部（中央係止部）
１１４  木口
【図１】
2014152524.tif 000003
【図２】
2014152524.tif 000004
【図３】
2014152524.tif 000005
【図４】
2014152524.tif 000006
【図５】
2014152524.tif 000007
【図６】
2014152524.tif 000008
【図７】
2014152524.tif 000009